(57)【要約】【課題】  搬送するシート状物にばたつきが発生したり凹凸が発生するのを規制することによりシート状物の平面性を保持するとともに製造コストの低減を図ることにある。【解決手段】  紙１５を搬送する搬送ベルト１０を、多数の吸引孔３ａが設けられた固定プレート３上に添接するように、駆動ローラ５と従動ローラ６との間に張架する。固定プレート３の内部に吸引ファン１２を設け、搬送ベルト１０は厚みが薄く剛性が小さいポリエステルによって網目状に形成されている。【選択図】  図２
2005231756.tif 000002
【特許請求の範囲】
【請求項１】
多数の吸引孔が設けられた固定プレートと、この固定プレート上を移動しシート状物を添接させる網目状に形成された搬送ベルトと、前記固定プレートの内側に設けたエアー吸引手段とを備えたことを特徴とするシート状物搬送装置。
【請求項２】
請求項１記載のシート状物搬送装置において、
前記搬送ベルトを無端状に形成し、この搬送ベルトを駆動ローラと従動ローラとの間に張架し、前記搬送ベルトの左右両側部に搬送ベルトの走行方向に延在する一対の凸条体を設けるとともに、前記駆動ローラと従動ローラの周面に前記搬送ベルトの凸条体が係合する係合溝を設けたことを特徴とするシート状物搬送装置。
【発明の詳細な説明】
【技術分野】
【０００１】
本発明は、紙やフィルム状のシート等、剛性が小さいシート状物を平坦状に保持した状態で搬送するシート状物搬送装置に関するものである。
【背景技術】
【０００２】
例えば、印刷機によって印刷された紙の印刷面の品質または紙自体の品質をカメラによって検査する場合には、給紙部から１枚ずつ給紙された紙を、先ず見当部において天地方向および左右方向を揃えた上で、カメラが設置された検査部に搬送し、搬送したままの状態でカメラによって検査する。この場合、搬送される紙がばたついたり紙に凹凸が発生すると、正確な検査ができなくなるため、紙を平坦状に保持した状態で搬送する必要がある。
【０００３】
図４および図５は従来のシート状物搬送装置を示し、図４は平面図、図５は図４におけるV-V 線断面図である。これらの図において、従来のシート状物搬送装置３０には、互いに対向するように立設された左右一対のフレーム２，２が備えられており、これらフレーム２，２にはそれぞれ対向する二対の軸遊挿孔２ａが設けられている。これら軸遊挿孔２ａに対応して、左右のフレーム２，２の外面には、それぞれ軸受４ａ，４ｂがねじによって取り付けられている。
【０００４】
５は駆動ローラであって、両端に一体に突設された端軸５ａ，５ｂが軸受４ａ，４ｂに回転自在に支持されており、一方の端軸５ａの軸受４ａから突出した突出端部にはプーリ７が軸着されている。６は従動ローラであって、両端に一体に突設された端軸６ａ，６ｂが軸受４ａ，４ｂに回転自在に支持されている。これら駆動ローラ５と従動ローラ６との間には、ゴムによって無端状に形成された搬送ベルト２０が張設されており、この搬送ベルト２０にはマトリックス状に配設された多数の吸引孔２０ａが設けられている。
【０００５】
２１は搬送ベルト２０の内側に設けられたタンクであって、搬送ベルト２０の幅方向に延在するように密閉状態の細長い箱状に形成されており、搬送ベルト２０の裏面に添接する上板には、矢印Ａ方向に延在する長孔２１ａが搬送ベルト２０の吸引孔２０ａに対応するように、矢印Ａ方向と直交する方向に複数列並設されている。このタンク２１の両端には、左右のフレーム２，２の外側に導出されるエアー管２２，２２の一端が接続されており、エアー管２２，２２の他端には吸引エア源（図示せず）が接続されている。１３は搬送ベルト２０の上方に傾斜した状態で設けられ、搬送ベルト２０の所定位置を指向する検査用のカメラ、１４はカメラ１３が指向する位置を照明する光源である。
【０００６】
次に、このように構成された従来のシート状物搬送装置３０によって、印刷された紙の印刷面および紙自体の品質を検査する方法を説明する。
【０００７】
先ず、シート状物搬送装置３０の駆動源であるモータを駆動することにより、このモータの出力軸に軸着されているプーリと上記した駆動ローラ５のプーリ７との間に張設されたタイミングベルト（いずれも図示せず）を介して、駆動ローラ５が図５中反時計方向に回転する。この駆動ローラ５の回転によって、駆動ローラ５と従動ローラ６との間に張設された搬送ベルト２０が矢印Ａ方向に走行する。同時に、吸引エア源（図示せず）を作動させ、エアー管２２，２２を介してタンク２１内に吸引エアーを供給する。
【０００８】
このような状態としてから、このシート状物搬送装置３０の紙搬送方向上流側（矢印Ａと反対方向）に設けた給紙部から紙１５を１枚ずつサッカー装置によって見当部に送り出し、見当部に設けた見当装置（いずれも図示せず）によって天地方向および左右方向における紙揃えを行い、シート状物搬送装置３０の搬送ベルト２０上に給紙する。搬送ベルト２０上に紙１５が給紙され、紙１５が搬送ベルト２０の表面に添接すると、タンク２１内に供給された吸引エアーによってタンク２１内が負圧状態となるため、紙１５が搬送ベルト２０の表面に吸着される。
【０００９】
したがって、紙１５は搬送ベルト２０の表面に吸着された状態で、搬送ベルト２０の矢印Ａ方向への走行に追従して搬送され、搬送されながらカメラ１３によって紙１５の印刷面の品質と紙自体の品質とが検査される。検査の結果、不良であると判定された紙は、このシート状物搬送装置３０の紙搬送方向下流側（矢印Ａ方向）に設けた不良紙積載部に積載され、良と判定された紙は、不良紙積載部よりも紙搬送方向下流側に設けた正紙積載部に積載される。なお、上述した従来技術は、出願人が出願時点で知る限りにおいて文献公知ではない。また、出願人は、出願時までに本発明に関連する先行技術文献を発見することができなかった。よって、先行技術文献情報を開示していない。
【発明の開示】
【発明が解決しようとする課題】
【００１０】
上述した従来のシート状物搬送装置においては、紙１５を搬送する搬送ベルト２０に吸引孔２０ａを設ける構造としているために、吸引孔２０ａの数量を増加させるにしたがって、搬送ベルト２０自体の強度が低下してしまうので、自ずと吸引孔２０ａの数量が制限されてしまう。したがって、吸引エアーによる吸着力が充分に得られなくなるため、搬送ベルト２０上で紙１５がばたついたり、紙１５が平坦状を保持した状態で搬送ベルト２０に吸着されずに凹凸が発生することにより、カメラ１３によって正確な検査ができないという問題があった。また、ゴムによって形成された搬送ベルト２０に多数の吸引孔２０ａを製作するのが困難であり、かつ箱状に形成されたタンク２１の上板に長孔２１ａを製作するのも困難であるため製造コストが増大していた。
【００１１】
また、搬送ベルト２０への吸着力を増大させようとして、吸引エアー源を大型化して吸引エアーの量を増加させると、搬送ベルト２０がタンク２１の上板に吸着されることにより搬送ベルト２０を走行させる際に負荷がかかるから、搬送ベルト２０を走行させる駆動源も大型化しなければならならなくなり、製造コストが増大するという問題があった。また、搬送ベルト２０を平坦状に形成するが困難であり、かつ搬送ベルト２０は比較的剛性が大きいゴム等によって形成されているため、この搬送ベルト２０を駆動ローラ５と従動ローラ６との間に平坦状に張設しようとすると搬送ベルト２０の張力が大きくなる。このため、駆動ローラ５と従動ローラ６を支持している軸受４ａ，４ｂに大きな負荷がかかり装置の故障の原因となるばかりではなく、駆動ローラ５を回転させるための駆動力を大きくしなければならないという問題があった。
【００１２】
本発明は上記した従来の問題に鑑みなされたものであり、その目的とするところは、搬送するシート状物にばたつきが発生したり凹凸が発生するのを規制することによりシート状物を平坦状に保持するとともに製造コストの低減を図ることにある。
【課題を解決するための手段】
【００１３】
この目的を達成するために、請求項１に係る発明は、多数の吸引孔が設けられた固定プレートと、この固定プレート上を移動しシート状物を添接させる網目状に形成された搬送ベルトと、前記固定プレートの内側に設けたエアー吸引手段とを備えたものである。
【００１４】
請求項２に係る発明は、請求項１に係る発明において、前記搬送ベルトを無端状に形成し、この搬送ベルトを駆動ローラと従動ローラとの間に張設し、前記搬送ベルトの左右両側部に搬送ベルトの走行方向に延在する一対の凸条体を設けるとともに、前記駆動ローラと従動ローラの周面に前記搬送ベルトの凸条体が係合する係合溝を設けたものである。
【発明の効果】
【００１５】
請求項１に係る発明によれば、搬送ベルトを網目状に形成したことにより、搬送ベルトを通過する吸引エアーの量が多くなるため、シート状物が搬送ベルトに密着性良く吸着される。したがって、シート状物に凹凸が発生することなく平坦状を保持した状態で搬送することができる。また、固定プレートに吸引孔を穿孔加工するだけでよいから製作が容易になる。また、搬送ベルトを網目状に形成したことにより、搬送ベルトが固定プレートに吸着されるようなことがないので、走行中に搬送ベルトに負荷がかかるようなことがないから、搬送ベルトを走行させる駆動源を小型化することができ製造コストを低減することができる。
請求項２に係る発明によれば、搬送中における搬送ベルトの左右方向の揺動を規制することができるため、見当部において左右方向の位置規制を行ったシート状物を精度よく搬送することができる。
【発明を実施するための最良の形態】
【００１６】
以下、本発明の実施の形態を図に基づいて説明する。図１（ａ）は本発明に係るシート状物搬送装置の平面図、同図（ｂ）は搬送ベルトの断面図、図２は図１（ａ）におけるII-II 線断面図、図３は同じく搬送ベルトを交換する方法を説明するための平面図である。これらの図において、上述した図４および図５に示す従来技術において説明した同一または同等の部材については、同一の符号を付し詳細な説明は適宜省略する。
【００１７】
図１および図２において、３は金属製の平板によって平面視長方形に形成された固定プレートであって、断面がわずかに湾曲形成されており、全面にわたって均一に多数の吸引孔３ａが穿孔されている。この固定プレート３は、駆動ローラ５と従動ローラ６との間に位置付けられるようにして、左右のフレーム２，２にブラケット（図示せず）を介して取り付けられている。
【００１８】
駆動ローラ５と従動ローラ６の両端部には、全周にわたってリング状に形成した係合溝５ｃ，６ｃが設けられている。１０は無端状に形成された搬送ベルトであって、左右方向の幅が固定プレート３の幅よりもやや小さく形成されており、固定プレート３上に添接するように、駆動ローラ５と従動ローラ６との間に張設され、テンションローラ８，９によって適正な張力が付与されている。この搬送ベルト１０は、厚みが薄く剛性が小さいポリエステルによって２５／インチメッシュ程度の網目状に形成されており、左右両側部の裏面には、この搬送ベルト１０の走行方向、すなわち矢印Ａ方向に延在し、駆動ローラ５と従動ローラ６の係合溝５ｃ，６ｃに係合する一対の凸条体１０ａ，１０ａが一体に突設されている。
【００１９】
固定プレート３の下方、すなわち固定プレート３の内部には、固定プレート３の略全面に対向するようにして、４基の吸引ファン１２が設置されている。したがって、吸引ファン１２を作動させると、搬送ベルト１０の上方に滞留しているエアーが、搬送ベルト１０の網目の間および固定プレート３の吸引孔３ａを通って、固定プレート３の内部に吸引される。
【００２０】
このように構成されていることにより、駆動ローラ５を駆動して搬送ベルト１０を矢印Ａ方向へ走行させるとともに、吸引ファン１２を作動させた状態として、上述した従来と同じ方法で、紙１５を搬送ベルト１０上に給紙する。上述したように、搬送ベルト１０の上方に滞留しているエアーが、搬送ベルト１０の網目の間および固定プレート３の吸引孔３ａを通って、固定プレート３の内部に吸引されているから、搬送ベルト１０の表面に添接した紙１５は搬送ベルト１０の表面に吸着する。したがって、紙１５は搬送ベルト１０の矢印Ａ方向への走行に追従し、固定プレート３の表面に添接するようにして搬送され、搬送されながらカメラ１３によって紙１５の印刷面の品質と紙自体の品質とが検査される。
【００２１】
このとき、搬送ベルトを網目状に形成したことにより、搬送ベルト１０を通過する吸引エアーの量が多くなるため、シート状物１５が搬送ベルト１０に密着性良く吸着される。したがって、シート状物１５に凹凸が発生することなく平坦状を保持した状態で搬送することができるから、カメラ１３による検査を正確に行うことができる。また、搬送ベルト１０を網目状に形成したことにより、搬送ベルト１０自体が固定プレート３に吸着されるようなことがないので、走行中に搬送ベルト１０に負荷がかかるようなことがないから、搬送ベルト１０を走行させる駆動源を小型化することができ製造コストを低減することができる。
【００２２】
また、平板状に形成された固定プレート３に吸引孔３ａを穿孔加工するだけでよいから製作が容易であるとともに、吸引手段として安価なファン１２を用いることもできるから製造コストの低減を図ることができる。また、搬送ベルト１０を剛性が小さい部材によって形成したことにより、駆動ローラ５と従動ローラ６との間に張設した際に、搬送ベルト１０に大きな張力が発生しないから、駆動ローラ５と従動ローラ６とを支持する軸受４ａ，４ｂに大きな負荷が発生しないとともに、駆動ローラ５を駆動する駆動源を小型化することができる。
【００２３】
ここで、搬送ベルト１０を交換する必要が生じたら、図３に示すように、駆動ローラ５と従動ローラ６の一方の端軸５ｂ，６ｂと軸受４ｂ，４ｂの内輪との固定を解除し、他方の軸受４ａ，４ａをフレーム２から取り外す。しかるのち、駆動ローラ５と従動ローラ６とを軸線方向に移動させ、駆動ローラ５と従動ローラ６の一方の端軸５ｂ，６ｂを軸受４ｂ，４ｂから取り外し、端軸５ｂ，６ｂとフレーム２との隙間から搬送ベルト１０を取り外す。
【００２４】
なお、本実施の形態においては、搬送ベルト１０を駆動ローラ５と従動ローラ６との間に張設し、駆動ローラ５を回転することにより搬送ベルト１０を走行させるようにしたが、搬送ベルト１０の走行方向と同一方向に走行する搬送チェーンによって走行させるようにしてもよい。また、吸引手段として吸引ファン１２を用いたが、吸引ポンプを用いてもよく、種々の設計変更が可能である。また、本実施の形態においては、シート状物搬送装置１をカメラ１３によって紙１５を検査する装置に適用した例で説明したが、他の装置に適用してもよいし、単にシート状物のあばれを規制するシート状物搬送装置としてのみに使用してもよい。また、固定プレート３の断面をわずかに湾曲形成させたが、紙１５の厚みにより、紙１５が固定プレート３に密着しない場合には、適宜平坦状に形成してもよく、種々の設計変更が可能である。
【図面の簡単な説明】
【００２５】
【図１】同図（ａ）は本発明に係るシート状物搬送装置の平面図、同図（ｂ）は搬送ベルトの断面図である。
【図２】図１（ａ）におけるII-II 線断面図である。
【図３】本発明に係るシート状物搬送装置において、搬送ベルトを交換する方法を説明するための平面図である。
【図４】従来のシート状物搬送装置の平面図である。
【図５】図４におけるV-V 線断面図である。
【符号の説明】
【００２６】
１…シート状物搬送装置、３…固定プレート、３ａ…吸引孔、５…駆動ローラ、５ｃ…係合溝、６…従動ローラ、６ｃ…係合溝、１０…搬送ベルト、１０ａ…凸条体、１２…吸引ファン、１３…カメラ、１５…紙。
【図１】
2005231756.tif 000003
【図２】
2005231756.tif 000004
【図３】
2005231756.tif 000005
【図４】
2005231756.tif 000006
【図５】
2005231756.tif 000007